(57)【特許請求の範囲】
【請求項１】
調理器本体の前面部に該前面部の一部を覆うカバーが回動自在に取り付けられた加熱調理器であって、カバーの調理器本体の前面部から離れる方向への回動を所定角度に制限する回動規制手段を備え、前記回動規制手段として、調理器本体とカバーを連結するストッパーを備え、調理器本体又はカバーのうちの一方を第一部材とすると共に他方を第二部材とし、ストッパーは第一部材に設けられると共に第二部材に着脱自在に連結される被連結部を有し、該被連結部が第二部材と連結されていない非連結状態においてカバーを前記調理器本体の前面部の一部を覆う位置まで回動した際に被連結部が第二部材に連結されるようにしたことを特徴とする加熱調理器。
【請求項２】
前記ストッパーは一端部が調理器本体に形成された前後方向に伸びるスリットに摺動自在に挿入されることで所定範囲内で前後方向に移動自在に調理器本体に取り付けられ、該ストッパーの他端部に、係合によりカバーに着脱自在に連結される前記被連結部が形成されたことを特徴とする請求項１に記載の加熱調理器。
【請求項３】
前記回動規制手段は、カバーの調理器本体の前面から離れる方向への回動を略９０度に制限するものであることを特徴とする請求項１または請求項２に記載の加熱調理器。
【発明の詳細な説明】
【技術分野】
【０００１】
本発明は、調理器本体の前面の一部を覆うカバーを備えた加熱調理器に関する。
【背景技術】
【０００２】
特許文献１には、調理器本体を流し台に組み込んだ組込式加熱調理器が開示されている。この加熱調理器は、調理器本体の前面に設けられた操作部を覆う操作部カバーが操作部に対して係合により着脱自在に取り付けられており、該操作部カバーは調理器本体と流し台の前面開口部との間に形成される空間を覆うための延長部を備えている。
【先行技術文献】
【特許文献】
【０００３】
【特許文献１】特開２００９−００２５７１号公報
【発明の概要】
【発明が解決しようとする課題】
【０００４】
ところで、前記カバーは操作部に対して係合により着脱自在に取り付けられるため、調理器本体とは別に梱包する必要があり、このためカバーを施工時に紛失する恐れがある。また、カバーの着脱のための固定箇所が多くなりがちで、取り付けが煩わしい。
【０００５】
ここで、前述の点を改善するため、カバーを調理器本体に対して回動自在に取り付けることが考えられるが、このようにすると、カバーが開きすぎてグリル用開口の前側に配置される等し、加熱調理器の利用等にあたってカバーが邪魔になることが懸念される。
【０００６】
本発明は前記事情に鑑みてなされたものであって、施工時にカバーを紛失することがなく、施工性に優れ、しかもカバーが邪魔になり難い加熱調理器を提供することを課題とする。
【課題を解決するための手段】
【０００７】
前記課題を解決するために本発明の加熱調理器は、調理器本体４の前面部１０に該前面部１０の一部を覆うカバー２７が回動自在に取り付けられた加熱調理器であって、カバー２７の調理器本体４の前面部１０から離れる方向への回動を所定角度に制限する回動規制手段を備え、前記回動規制手段として、調理器本体４とカバー２７を連結するストッパー４７を備え、調理器本体４又はカバー２７のうちの一方を第一部材とすると共に他方を第二部材とし、ストッパー４７は第一部材に設けられると共に第二部材に着脱自在に連結される被連結部５２を有し、該被連結部５２が第二部材と連結されていない非連結状態においてカバー２７を前記調理器本体４の前面部１０の一部を覆う位置まで回動した際に被連結部５２が第二部材に連結されるようにしたことを特徴とする。このように調理器本体４の前面部１０の一部を覆うカバー２７を調理器本体４の前面部１０に対して回動自在に取り付けることにより、カバー２７を施工時に紛失することを防止でき、また、カバー２７を調理器本体４に取り付ける作業を省略できる。また、カバー２７の調理器本体４の前面部１０から離れる方向への回動を所定角度に制限する回動規制手段を備えることで、カバー２７が開きすぎることを防止できる。このためグリル用開口１１からグリル皿受けを出し入れ等するときにカバー２７が邪魔になり難い。また、調理器本体４とカバー２７を連結するストッパー４７によりカバー２７を回動規制することができる。また、カバー２７を前記調理器本体４の前面部１０の一部を覆う位置まで回動するだけで、ストッパー４７の被連結部５２を第二部材の連結部５３に容易に連結することができる。
【０００９】
また、前記ストッパー４７は一端部が調理器本体４に形成された前後方向に伸びるスリット５１に摺動自在に挿入されることで所定範囲内で前後方向に移動自在に調理器本体４に取り付けられ、該ストッパー４７の他端部に、係合によりカバー２７に着脱自在に連結される前記被連結部５２が形成されることが好ましい。このように構成すると、カバー２７を開いたときにストッパー４７が前方に移動し、このストッパー４７が移動範囲内における前端部に配置されたときにカバー２７のそれ以上の回動が規制されることとなる。また、カバー２７とストッパー４７の連結を係合による簡易なものにできる。
【００１０】
また、前記回動規制手段は、カバー２７の調理器本体４の前面から離れる方向への回動を略９０度に制限するものであることが好ましい。このようにすると、グリル用開口１１からグリル皿受けを出し入れ等する際にカバー２７をより邪魔になり難い位置に配置することができる。また、カバー２７を略９０度まで開くことができるので、調理器本体４の前面部１０においてカバー２７によって覆われる箇所を利用等する際にもカバー２７が邪魔になり難い。
【発明の効果】
【００１１】
本発明にあっては、施工時にカバーを紛失することがなく、施工性に優れ、しかもカバーが邪魔になり難い加熱調理器を提供できる。
【図面の簡単な説明】
【００１２】
【図１】本実施形態の加熱調理器のパーツ、第一カバー、及びストッパーを示す斜視図である。
【図２】同上の加熱調理器をキッチンキャビネットに設置した状態を示す斜視図である。
【図３】同上の加熱調理器の筐体をキッチンキャビネットに設置した状態を示す斜視図である。
【図４】図３においてカバーを第二位置に配置した状態を示す斜視図である。
【図５】同上の加熱調理器の斜視図である。
【図６】同上の加熱調理器の筐体の斜視図である。
【図７】同上の加熱調理器の本体前面部の拡大斜視図である。
【図８】同上のストッパーを示し、（ａ）は側面図であり、（ｂ）は平面図である。
【図９】同上のストッパーを調理器本体に取り付ける様子を示す斜視図である。
【図１０】同上のパーツ及びストッパーを示す斜視図である。
【図１１】第一カバーの図７におけるＡ−Ａ断面図である。
【発明を実施するための形態】
【００１３】
以下、本発明を添付図面に基づいて説明する。図５に本実施形態の加熱調理器１を示す。本実施形態の加熱調理器１は、図２に示すようにキッチンキャビネット１２に組み込まれて用いられる組込式のガスコンロである。
【００１４】
加熱調理器１は、図６のように上方に開口する筐体２と、図５のように筐体２の上開口を覆うトッププレート３とで外面を構成した調理器本体４を具備している。
【００１５】
図６等に示すように筐体２の内側には、複数のコンロ用バーナー５が設けられている。本実施形態では、コンロ用バーナー５として、２つの高火力バーナー６と、１つの低火力バーナー７が設けられている。高火力バーナー６は筐体２の前部両側に配置され、低火力バーナー７は筐体２の後部中央に配置されている。
【００１６】
図４に示すように筐体２内の前部中央にはグリル庫９が設けられており、グリル庫９には図示しないグリル用バーナーが設けられている。
【００１７】
筐体２の前面部１０（以下、本体前面部１０）の左右方向の中央部には正面視略矩形状のグリル用開口１１が形成されており、グリル庫９はグリル用開口１１から筐体２の前方に開口している。
【００１８】
グリル庫９には図示しないグリル皿受けがグリル用開口１１から前方に引き出し自在に設けられる。グリル皿受けの前端部には図２に示すグリル扉１９が一体に設けられている。グリル皿受けをグリル庫９に収納した状態では、グリル扉１９の前面が筐体２の前面と略面一となり、グリル扉１９によってグリル用開口１１が閉塞される。
【００１９】
図６に示すように、筐体２の上縁部には外方に突出する鍔部１３が形成されている。筐体２は、図３のようにキッチンキャビネット１２に形成された上面開口部１５からキッチンキャビネット１２内に落とし込まれ、鍔部１３がキッチンキャビネット１２の上面開口部１５の縁部上に載置されることで支持される。また、この際、本体前面部１０は、キッチンキャビネット１２の前面上端部に形成された正面視矩形状の前面開口部１６に挿入され、筐体２の前方に露出する。そして、このようにキッチンキャビネット１２内に落とし込まれた筐体２はビス等によりキッチンキャビネット１２に固定される。
【００２０】
調理器本体４の上面を構成するトッププレート３は、図２のようにキッチンキャビネット１２の上面開口部１５の縁部上に載置され、筐体２に装着される。トッププレート３の各コンロ用バーナー５に対応する箇所には開口が形成されており、これら開口を介して各コンロバーナー５はトッププレート３の上方に露出する。
【００２１】
図６に示すように本体前面部１０の左側上部には、前方に開口する電池収納部２６が設けられている。電池収納部２６には電池が出し入れ可能に収納され、この電池は、調理器本体４に設けられた燃焼制御部（不図示）等の各種装置の制御用電源や、バックアップ用電源として用いられる。
【００２２】
本体前面部１０の右側上部には、操作部として電源スイッチ２２とチャイルドロックスイッチ４１が設けられている。また、本体前面部１０には、これらスイッチ２２，４１の他に、操作部として、コンロ用操作部及びグリル用操作部が設けられている。
【００２３】
本実施形態では、コンロ用操作部として、各コンロバーナー５の点火と消火の切り替え並びに火力の調節を手動で行うための操作つまみ２０（図６参照）と、各コンロバーナー５を用いて行う自動調理のモードを設定するためのコンロ用設定入力パネル２１（図５参照）が設けられている。
【００２４】
操作つまみ２０はコンロバーナー５毎に設けられており、図６に示すように本体前面部１０の右側上部に左右に並べて配置されている。各操作つまみ２０は、本体前面部１０に押し込んだ押し込み状態と、本体前面部１０から前方に突出した突出状態とに切り替えられるようになっている。各操作つまみ２０の押し込み状態と突出状態の切り替えがなされることにより、コンロバーナー５の点火と消火の切り替えの指令がなされ、これを受けて前記燃焼制御部は、当該操作つまみ２０に対応するコンロバーナー５の点火と消火を切り替える。また、各操作つまみ２０を前後軸を中心にして回動することでコンロバーナー５の火力調節の指令がなされ、これを受けて前記燃焼制御部は当該操作つまみ２０に対応するコンロバーナー５の火力を調節する。
【００２５】
図５に示すようにコンロ用設定入力パネル２１は、本体前面部１０の右側下部に設けられたコンロ用引出部材２３の上面に設けられている。コンロ用引出部材２３の下端部は本体前面部１０に左右軸回りに回動自在に連結されており、これによりコンロ用引出部材２３は本体前面部１０から前方に出し入れ自在となっている。
【００２６】
コンロ用引出部材２３を本体前面部１０に収納した状態では、コンロ用引出部材２３の前面が本体前面部１０の前面と略面一となる。この場合、コンロ用設定入力パネル２１は外部に露出しない。コンロ用引出部材２３を本体前面部１０から前方に引き出した状態では、コンロ用設定入力パネル２１が露出する。コンロ用設定入力パネル２１は各種設定釦を有し、これら設定釦が操作されると、前記燃焼制御部はこれら設定釦で設定された調理モードに応じてコンロ用バーナー５の火力を自動で調節する。
【００２７】
また、本実施形態では、グリル用操作部として、グリル用バーナーの点火と消火の切り替え、火力の調節、及びグリル用バーナーを用いて行う自動調理のモードを設定するためグリル用設定入力パネル２４が設けられている。
【００２８】
グリル用設定入力パネル２４は、本体前面部１０の左側下部に設けられたグリル用引出部材２５の上面に設けられている。グリル用引出部材２５は、コンロ用引出部材２３と同様の機構により本体前面部１０から前方に出し入れ自在に設けられており、グリル用引出部材２５を前面から前方に引き出した状態で操作可能となる。グリル用設定入力パネル２４には点火・消火切り替え釦や火力調節釦が設けられている。これら釦を操作することで、グリル用バーナーの点火と消火の切り替えの指令やグリル用バーナーの火力調節の指令がなされ、これを受けて前記燃焼制御部はグリル用バーナーの点火と消火を切り替えたり、グリル用バーナーの調節をしたりする。また、グリル用設定入力パネル２４は各種設定釦を有しており、これら設定釦が操作されると、前記燃焼制御部はこれら設定釦で設定された調理モードに応じてグリル用バーナーの火力を自動で調節する。
【００２９】
また、本体前面部１０の右側上部には、各コンロ用バーナー５の火力を表示するための表示部として複数のＬＥＤ４５（図６参照）が設けられている。
【００３０】
本体前面部１０は、前述のように筐体２をキッチンキャビネット１２に落とし込む際にキッチンキャビネット１２の前面開口部１６に挿入されるものであるが、本体前面部１０が前面開口部１６に合致する大きさであると、本体前面部１０を前面開口部１６に挿入することが難しくなる。このため、本実施形態では、図３に示すように本体前面部１０が正面視において前面開口部１６よりも一回り小さな矩形状に形成されており、これにより本体前面部１０は前面開口部１６に容易に挿入できるようになっている。
【００３１】
また、このように本体前面部１０を前面開口部１６よりも一回り小さくすると、図３のように筐体２をキッチンキャビネット１２に設置した際、前面開口部１６の周縁と本体前面部１０の外縁の間に隙間３７が形成される。この隙間３７のうち、本体前面部１０の上側に形成される隙間３８は上方にキッチンキャビネット１２の前端部が位置するため目立ち難く、また、下側に形成される隙間３９は上方に本体前面部１０が位置するため目立ち難い。しかし、本体前面部１０の両側に形成される隙間４０は目立ちやすく外観を阻害する恐れがある。このため、本実施形態では、本体前面部１０に前記隙間４０を覆う部分を有するカバー２７が設けられている。
【００３２】
図２に示すように、本体前面部１０には、カバー２７として、第一カバー２８、第二カバー２９、第三カバー３０、及び第四カバー３１が設けられている。第一カバー２８は本体前面部１０の左側上部に設けられている。また、第二カバー２９は本体前面部１０の右側上部に、第三カバー３０は本体前面部１０の右側下部に、第四カバー３１は本体前面部１０の左側下部に夫々設けられている。
【００３３】
図１は本体前面部１０の左側上部を構成するパーツ６６とこれに取り付けられた第一カバー２８を示す斜視図である。図１に示すように、各カバー２８〜３１の側端部には回動軸を構成する軸ピン３４が取り付けられており、軸ピン３４を本体前面部１０に設けられた軸支部３３で軸支することにより、各カバー２８〜３１は本体前面部１０に対して縦軸回りに回動自在に取り付けられている。
【００３４】
第一カバー２８用の軸支部３３は、左右方向において、本体前面部１０の電池収納部２６とグリル用開口１１の間に形成されており、これにより第一カバー２８は右開きとなっている。また、図６のように、第二カバー２９用の軸支部３３は、左右方向において、前記複数の操作つまみ２０からなるつまみ群とグリル用開口１１の間に形成されており、これにより第二カバー２９は左開きとなっている。また、第三カバー３０の軸支部３３はコンロ用引出部材２３のグリル用開口１１側の端部に設けられて第三カバー３０は左開きとなり、第四カバー３１の軸支部３３はグリル用引出部材２５のグリル用開口１１側の端部に設けられて第四カバー３１は右開きとなっている。つまり、本体前面部１０においてグリル用開口１１よりも左側に位置する第一カバー２８及び第四カバー３１は右開きとなり、グリル用開口１１よりも右側に位置する第二カバー２９及び第三カバー３０は左開きとなっている。
【００３５】
各カバー２８〜３１は、図３に示す第一位置（開き位置）と図４に示す第二位置（閉じ位置）との間で前記軸ピン３４で構成された軸部を中心として回動自在となっている。ここで、第一位置は、図３に示すように、カバー２８〜３１の表面が本体前面部１０の前面に対向する位置であり、この第一位置に配置されたカバー２８〜３１はグリル用開口１１及びこれを閉塞するグリル扉１９の前方に配置される。また、第二位置は、図４に示すように、カバー２８〜３１の裏面が、本体前面部１０の前面、コンロ用引出部材２３の前面、あるいはグリル用引出部材２５の前面に対向する位置である。
【００３６】
図６等に示すように、各カバー２８〜３１の自由端側部分の裏面には、被係止部としての被係止爪部４３が突設されている。一方、本体前面部１０、コンロ用引出部材２３の前面、グリル用引出部材２５の前面において各被係止爪部４３に対応する箇所には係止部としての係止穴部４４が形成されている。各カバー２８〜３１は、被係止爪部４３が対応する係止穴部４４に着脱自在に係止されることで閉じ位置である第二位置で固定されるようになっている。このため、第二位置に配置した各カバー２８〜３１が不意に第一位置側に向かって回動することが防止されている。なお、係止穴部４４に係止された被係止爪部４３は、第二位置に配置されたカバー２８〜３１に対して第一位置側に回動する方向にやや強い力を加えることにより係止穴部４４との係止を解除することができる。
【００３７】
図３に示すように第一位置に配置された各カバー２８〜３１は、前面視においてカバー２８〜３１の全てが調理器本体４の存在領域内に包含される。筐体２に設けられた各カバー２８〜３１は、例えば筐体２をキッチンキャビネット１２に設置する前において、第一位置に配置されるように図示しない固定用テープによって仮止めされて拘束される。このようにすると、前述のように筐体２をキッチンキャビネット１２に落とし込んで本体前面部１０をキッチンキャビネット１２の前面開口部１６に挿入する際には、各カバー２８〜３１が第一位置に配置されて前面視においてカバー２８〜３１の全てが調理器本体４の存在領域内に包含されるので、各カバー２８〜３１がキッチンキャビネット１２の上面開口部１５の周縁部や前面開口部１６の周縁部等に干渉し難くなり、作業が容易になる。
【００３８】
また、加熱調理器１をキッチンキャビネット１２に設置した後は、各カバー２８〜３１は図４に示すように閉じ位置である第二位置に配置される。このように第二位置に配置された各カバー２８〜３１は、その自由端側（軸ピン３４と反対側）の側端部が本体前面部１０よりも外側方に突出する。そして、この突出部分３６により、前記本体前面部１０の両側に形成された隙間４０、すなわち、本体前面部１０の側縁とキッチンキャビネット１２の前面開口部１６の側縁の間に形成された隙間４０が覆われる。
【００３９】
図２のように第一カバー２８は、前記閉じ位置である第二位置に配置したときに本体前面部１０の電池収納部２６が設けられた左側上部を覆い、電池収納部２６及びこれに収納された電池を隠す。また、第二カバー２９は、第二位置に配置したとき、本体前面部１０の電源スイッチ２２、チャイルドロックスイッチ４１、操作つまみ２０、及びＬＥＤ４５が設けられた右側上部を覆い、電源スイッチ２２やチャイルドロックスイッチ４１を隠す。また、第三カバー３０は第二位置に配置したときにコンロ用引出部材２３の前面を覆い、第四カバー３１は第二位置に配置したときにグリル用引出部材２５の前面を覆う。
【００４０】
図５に示すように、第二カバー２９には電源ボタン３２及びチャイルドロックボタン４２が設けられている。電源ボタン３２及びチャイルドロックボタン４２の夫々は、第二カバー２９を閉じ位置に配置したときに後方の電源スイッチ２２、チャイルドロックスイッチ４１に当接し、これにより、閉じ位置に配置された第二カバー２９の電源ボタン３２やチャイルドロックボタン４２を前方から操作することで、電源スイッチ２２やチャイルドロックスイッチ４１を操作できるようになっている。
【００４１】
第二カバー２９の各操作つまみ２０に対応する個所にはつまみ用孔３５が設けられており、各操作つまみ２０は第二位置に配置された第二カバー２９の対応するつまみ用孔３５を介して露出し、前述の操作を行えるようになっている。
【００４２】
また、第二カバー２９の各ＬＥＤ４５に対応する箇所には、樹脂成型品等の透明な部材で構成される透光部４６が設けられており、各ＬＥＤ４５は閉じ位置に配置された第二カバー２９の透光部４６を通して視認できるようになっている。
【００４３】
ところで、前記第一位置に配置された第一カバー２８は、電池収納部２６に配置された電池を交換等するため、加熱調理器１の設置後においても前記被係止爪部４３と係止穴部４４の係止を解除して第一位置側に開く場合がある。ここで、第一カバー２８を大きく開いた場合、当該第一カバー２８がグリル用開口１１の前方に配置され、グリル用開口１１からグリル扉１９が設けられたグリル皿受けを出し入れする際に、第一カバー２８が邪魔になることが懸念される。
【００４４】
このため、本実施形態の加熱調理器１は、第一カバー２８の本体前面部１０から離れる方向への回動を所定角度に制限する回動規制手段を備えている。
【００４５】
回動規制手段は、図１に示すように本体前面部１０に設けられたストッパー４７で構成されている。ストッパー４７は図１に示すように第一カバー２８の本体前面部１０から離れる方向への回動を略９０度に制限するものである。
【００４６】
ストッパー４７は、図８に示すように線状のばね素材を略「几」状に屈曲したものであり、平面視で後方に開口する略Ｕ字状の本体部４８と、本体部４８の後端に位置する両端部から互いに離れる方向に向けて突出する被取付部４９で構成されている。
【００４７】
図７に示すように、本体前面部１０の第二位置にある第一カバー２８によって覆われる部分には、縦長で前方に開口する凹部又は孔部からなるストッパー収納部５０が形成されている。このストッパー収納部５０は電池収納部２６の下方に位置し、また、軸支部３３寄りの箇所に位置している。
【００４８】
ストッパー収納部５０の上下面の夫々の左側（軸支部３３と反対側）には、ストッパー収納部５０内に開口して前後方向に直線状に伸びるスリット５１（図９、図１０参照）が対向して形成されている。
【００４９】
ストッパー４７は各被取付部４９を対応するスリット５１に前後方向に摺動自在に挿入することで調理器本体４に取り付けられている。このように調理器本体４に取り付けられたストッパー４７はスリット５１の長さにより規定される前後方向の所定範囲内で前後方向に移動自在となり、ストッパー収納部５０の前開口部から出し入れできるようになっている。
【００５０】
図９に示すように、ストッパー収納部５０の前部の左側面には、右側（軸支部３３側）に向かって突出して両スリット５１に対向する保持部５９が形成されている。なお、図９はストッパー４７を調理器本体４に取り付ける様子を示すものであり、ストッパー４７は本来の取付位置にはない。
【００５１】
保持部５９は、ストッパー４７の前後位置にかかわらず常にストッパー４７の略Ｕ字状の本体部４８の上下の横線状部６０の間に配置されるようになっており、この保持部５９により各被取付部４９のスリット５１から抜け出る方向への移動が規制されている。
【００５２】
図８（ｂ）に示すようにストッパー４７の上下の横線状部６０の間隔は、前側に行く程上下幅が広くなっている。特にストッパー４７の本体部４８の前端部においては、上下の横線状部６０の間隔の広がる度合いが後方部よりも大きくなっており、この部分は第一カバー２８に対して係合により着脱自在に連結される被連結部５２となっている。また、被連結部５２の前端部は、縦線状の縦線状部５８となっている。
【００５３】
図１に示すように、第一カバー２８における軸ピン３４寄りの箇所には、ストッパー４７の被連結部５２が連結される連結部５３が形成されている。連結部５３は、第一カバー２８の裏面から背方に突出する係合部５４と、同じく第一カバー２８の裏面から背方に突出し、係合部５４よりも第一カバー２８の自由端側に位置する抜止部５５とで構成されている。
【００５４】
抜止部５５は、係合部５４の上下端部に対応する位置に夫々形成されており、係合部５４と両抜止部５５の間には第一カバー２８の裏面側に開口する溝部５７が形成されている。図１１のように、係合部５４の先部には抜止部５５側に突出して溝部５７の開口部分に位置する爪部５６が形成されている。
【００５５】
図１に示すように、ストッパー４７の被連結部５２は、その前端部を構成する縦線状部５８が第一カバー２８の溝部５７に挿入され且つ縦線状部５８の後側が爪部５６に係合されることで連結部５３に連結されている。また、このように被連結部５２を連結部５３に連結した状態では、縦線状部５８の前側に両抜止部５５が位置し、これら抜止部５５によって縦線状部５８の第一カバー２８自由端側への移動が規制される。このため、縦線状部５８の爪部５６に対する係合は外れ難くなっている。
【００５６】
このように本体前面部１０と第一カバー２８をストッパー４７により連結した状態で、第一カバー２８を図４に示す第二位置に配置したとき、ストッパー４７は図１０に示すようにストッパー収納部５０に収納される。このとき、両被取付部４９は対応するスリット５１の後端部に配置される。この状態から第一カバー２８を本体前面部１０から離れる方向に回動すると、第一カバー２８の被係止爪部４３と本体前面部１０の係止穴部４４との係止が外れ、この後、縦線状部５８が係合部５４によって前側に引っ張られ、これによりストッパー４７はストッパー収納部５０から前側に引き出されていく。また、この際、ストッパー４７の両被取付部４９は対応するスリット５１において前側に移動する。そして、第一カバー２８が本体前面部１０から離れる方向に略９０度回動すると、図１に示すようにストッパー４７の両被取付部４９が対応するスリット５１の前端部に配置され、これ以上前方に移動できない状態となる。これにより、当該ストッパー４７に連結された第一カバー２８はこれ以上第一位置側に開くことができない回動規制状態となる。
【００５７】
逆に、前記回動規制状態にある第一カバー２８を、本体前面部１０に近づく方向、すなわち第二位置側に回動すると、溝部５７に挿入されたストッパー４７の縦線状部５８が第一カバー２８の抜止部５５により後側に押し込まれ、これによりストッパー４７はストッパー収納部５０に挿入されていく。また、この際、ストッパー４７の両被取付部４９は対応するスリット５１において後側に移動する。そして、第一カバー２８が図４に示す第二位置に配置されると、被係止爪部４３が係止穴部４４に係止され、また、両被取付部４９は対応するスリット５１の後端部に配置される。
【００５８】
また、本実施形態の加熱調理器１にあっては、ストッパー４７を加熱調理器１に容易に設けられるようになっており、以下、この点につき詳述する。
【００５９】
図９は調理器本体４にストッパー４７を取り付ける前の様子を示す斜視図である。図９に示すように、ストッパー収納部５０の後部の右側面には左側に向かって突出するガイド部６１が形成されている。ガイド部６１の前面には左側程後方に位置するように傾斜した後ガイド面６２が形成されている。また、前記保持部５９の前面には右側程後方に位置するように傾斜した前ガイド面６３が形成されている。
【００６０】
このように構成することで、ストッパー４７は例えば以下のように調理器本体４に取り付けることが可能になる。すなわち、ストッパー４７を上下から挟むように摘まんでストッパー４７後部の上下幅を狭め、この状態でストッパー４７を図９に示すようにストッパー収納部５０の保持部５９右側に挿入していくと、ストッパー４７の両被取付部４９が形成された後端部はガイド部６１の後ガイド面６２に当たって後ガイド面６２に沿ってスリット５１が形成された左側に移動し、最終的にストッパー４７の後端部に形成された両被取付部４９がスリット５１に対応する位置に移動することとなる。このため、両被取付部４９を対応するスリット５１へとスムーズに導くことができる。そして、このように両被取付部４９がスリット５１に対応する位置に移動された後に、ストッパー４７の弾性復元力によってストッパー４７後部の上下幅が広がると、両被取付部４９が対応するスリット５１に挿入されることとなる。
【００６１】
また、前記ストッパー収納部５０へのストッパー４７の挿入の際、ストッパー４７がストッパー収納部５０の左側に挿入されることも考えられる。しかし、この場合は、前記ストッパー４７の挿入時においてストッパー４７の後端部が保持部５９の前ガイド面６３に当たって前ガイド面６３に沿ってガイド部６１が形成された右側に移動するため、ストッパー４７の後端部をガイド部６１の前面にスムーズに導くことができる。
【００６２】
また、本実施形態の加熱調理器１には、前述のように調理器本体４に取り付けたストッパー４７の被連結部５２を第一カバー２８の連結部５３に容易に連結できるようになっている。以下、この点につき説明する。
【００６３】
図７のように、前記連結部５３を構成する第一カバー２８の裏面に突設された係合部５４と両抜止部５５は、第一カバー２８が図４に示す第二位置に配置された際、ストッパー収納部５０に前方から挿入されるようになっている。図１１に示すように、係合部５４の先端面には抜止部５５側に行く程第一カバー２８表面側に位置するように傾斜した第一案内面６４が形成されている。また、各抜止部５５の係合部５４側の側面には、第一カバー２８表面側に行く程係合部５４側に位置するように傾斜した第二案内面６５が形成されている。
【００６４】
図７に示すように、ストッパー４７の被連結部５２を連結部５３に連結していない状態で、第一カバー２８を閉じ位置となる第二位置側に回動していくと、係合部５４はストッパー収納部５０に挿入される段階で、ストッパー４７の縦線状部５８が係合部５４の第一案内面６４に当接し、この後、この第一案内面６４に沿って抜止部５５側に導かれる。さらに回動を進めると、ストッパー４７の縦線状部５８は両抜止部５５の第二案内面６５に当接した後、溝部５７側に導かれ、これにより縦線状部５８は係合部５４の爪部５６に係合され、被連結部５２が連結部５３に連結されることとなる。
【００６５】
以上説明した本実施形態の加熱調理器１は、本体前面部１０に該本体前面部１０の一部を覆うカバー２８〜３１が回動自在に取り付けられる。このため、施工時にカバー２８〜３１を紛失することがなく、また、施工時にカバー２８〜３１を調理器本体４に取り付ける必要がない。また、第一カバー２８の本体前面部１０から離れる方向への回動を所定角度に制限する回動規制手段を備えることで、第一カバー２８が開きすぎることを防止できる。このため、グリル用開口１１からグリル皿受けを出し入れする際等に第一カバー２８が邪魔になり難い。
【００６６】
また、回動規制手段として、調理器本体４と第一カバー２８を連結するストッパー４７を備え、ストッパー４７は調理器本体４に設けられると共に第一カバー２８に着脱自在に連結される被連結部５２を有し、被連結部５２が第一カバー２８と連結されていない非連結状態において第一カバー２８を本体前面部１０の一部を覆う第二位置まで回動した際に被連結部５２が第一カバー２８に連結されるようになっている。このため、第一カバー２８を閉じ位置となる第二位置まで回動するだけで、ストッパー４７の被連結部５２を第一カバー２８の連結部５３に容易に連結することができる。
【００６７】
また、ストッパー４７は一端部が調理器本体４に形成された前後方向に伸びるスリット５１に摺動自在に挿入されることで所定範囲内で前後方向に移動自在に調理器本体４に取り付けられ、ストッパー４７の他端部に、係合により第一カバー２８に着脱自在に連結される前記被連結部５２が形成されている。このように構成することで、カバー２７を開いたときにストッパー４７が前方に移動し、このストッパー４７が移動範囲内における前端部に配置されたときにカバー２７のそれ以上の回動が規制されることとなる。また、カバー２７とストッパー４７の連結を係合による簡易なものにできる。
【００６８】
また、回動規制手段は、第一カバー２８の本体前面部１０から離れる方向への回動を略９０度に制限するため、グリル用開口１１からグリル皿受けを出し入れする際等に第一カバー２８がより一層邪魔になり難い。また、第一カバー２８を略９０度まで開くことができるので、電池収納部２６から電池を出し入れする際等にも第一カバー２８が邪魔になり難い。
【００６９】
なお、本実施形態では、ストッパー４７を調理器本体４に設けたが、第一カバー２８に設けてもかまわない。すなわち、この場合、ストッパーは調理器本体４に連結される被連結部を有し、該被連結部が調理器本体４と連結されていない非連結状態において第一カバー２８を調理器本体４の前面部の一部を覆う位置まで回動した際に前記被連結部が調理器本体４に連結される。
【００７０】
また、回動規制手段によって規制される第一カバー２８の回動角度は、調理器本体４の利用にあたって第一カバー２８が邪魔にならない位置に配置できるのであれば、前記略９０度に限定されるものではなく、９０度を超えてもよいし、９０度未満であってもよい。
【００７１】
また、本実施形態では、回動規制手段により第一カバー２８の調理器本体４の前面から離れる方向への回動を所定角度に制限したが、同様の回動規制手段を用いて、他のカバー２９〜３１の調理器本体４の前面から離れる方向への回動を所定角度に制限する回動規制手段を備えてもよい。他のカバー２９〜３１にあっても、カバー２９〜３１に覆われた本体前面部１０や、カバー２９〜３１の裏面、前面開口部１６の周縁と本体前面部１０の外縁の間に形成された隙間３７部分の掃除をする際等に第二位置側に開く必要があるためである。
【００７２】
また、回動規制手段によって回動が規制されるカバー（本実施形態では第一カバー２８）は、開いたときに本体前面部１０におけるグリル用開口１１以外の箇所の前方に位置するものであってもよい。調理器本体４の前面には、グリル用開口１１の他、多数の操作部や表示部等が集中的に設けられるものであり、これらの前側にカバーが配置されることは加熱調理器１の利用の際に邪魔になる恐れがあり、前記回動規制手段を設けることによりこの点を改善できるからである。
【００７３】
また、本実施形態の加熱調理器１は加熱部としてガスバーナーを用いたが、加熱部はガスバーナに限定されるものではなく、加熱部として、電気ヒータ、ＩＨヒータ等を用いるなど、本発明は、種々の方式の加熱部を用いた加熱調理器に適用可能である。また、この他、本発明の趣旨を逸脱しない範囲で適宜設計変更可能である。
【符号の説明】
【００７４】
１  加熱調理器
４  調理器本体
１０  本体前面部
２７  カバー
４７  ストッパー
５１  スリット
５２  被連結部
【図１】
0005793026.tif 000002
【図２】
0005793026.tif 000003
【図３】
0005793026.tif 000004
【図４】
0005793026.tif 000005
【図５】
0005793026.tif 000006
【図６】
0005793026.tif 000007
【図７】
0005793026.tif 000008
【図８】
0005793026.tif 000009
【図９】
0005793026.tif 000010
【図１０】
0005793026.tif 000011
【図１１】
0005793026.tif 000012